(57)【要約】【課題】  本発明は、家庭内でも、企業の事務所内でも使用される書棚の配置移動が生じても、面倒な書籍を書棚から取り除く作業と、重量軽減も必要とせず、短時間で容易に移動ができ、エアーバッグ内の空気給排で書棚の移動と定置が繰り返しできるようにしたエアーバック式書棚移動装置を得る。【解決手段】  中空で長方形状となる書棚載置台枠板の長辺方向の両端内部に、対向する長方形状のローラー軸受け枠が保持収納されるようガイド枠を設け、そのローラー軸受け枠にそれぞれ２本のローラーを挿着し、ローラー軸受け枠の上面と書棚載置台枠板の内部天井面との間にエアーバッグを内設し、対向するエアーバッグに給排管を接合し、書棚載置台枠板の長辺方向の一側面に孔をあけ、給排管に接合する空気給排口を取り付けた手段を講ずる。【選択図】  図１
2005046577.tif 000002
【特許請求の範囲】
【請求項１】
中空で長方形状となる書棚載置台枠板の長辺方向の両端内部に、対向する長方形状のローラー軸受け枠が保持収納されるようガイド枠を設け、そのローラー軸受け枠にそれぞれ２本のローラーを挿着し、ローラー軸受け枠の上面と書棚載置台枠板の内部天井面との間にエアーバッグを内設し、対向するエアーバッグに給排管を接合し、書棚載置台枠板の長辺方向の一側面に孔をあけ、給排管に接合する空気給排口を取り付けたことを特徴とするエアーバック式書棚移動装置。
【請求項２】
前記ローラー軸受け枠の上面と、書棚載置台枠板の内部天井面の間に内設となるエアーバッグにおいて、書棚載置台枠板の一側面にエアーバッグの空気給排口を設け、その空気給排口から手動ポンプ又は電動ポンプで空気給入を行うことにより、エアーバッグが膨出してローラー軸受け枠を下方へ押動し、ローラー軸受け枠のローラーが床面に着き、書棚載置台枠板１に載置された書棚を押すとローラーが回転し移動が容易となるとともに、エアーバッグ内の空気給排で書棚の移動と定置が繰り返しできる請求項１記載のエアーバック式書棚移動装置。
【請求項３】
前記ローラー軸受け枠の長辺部を左右対称に湾出形状にし、ローラー軸受け枠の上面に円環ベアリングを添着した保持板を取り付け、書棚載置台枠板の内部両端に湾出形状でローラー軸受け枠を保持収納する湾曲ガイド枠を設け、ローラー軸受け枠の上部の保持板と湾曲ガイド枠の内部天井面との間にエアーバッグが内設され、書棚載置台枠板の一側面に設けたエアーバッグの空気給排口から空気給入を行い、エアーバッグが膨出してローラー軸受け枠を下方へ押動し、ローラー軸受け枠のローラーが床面に着き、ローラーの回転で書棚載置台枠板と書棚の押動が容易になるとともに、ローラー軸受け枠の短辺部に設けたレバーにより、ローラーの方向を左右自在に向けられるようにした請求項１、２記載のエアーバック式書棚移動装置。
【発明の詳細な説明】
【発明の詳細な説明】
【技術分野】
【０００１】  本発明は書棚の移動を容易にしたエアーバック式書棚移動装置に関する。
【背景技術】
【０００２】  従来、書棚の移動などにはキャスター付き台板又はリフト等用いられていた。
【発明が解決しようとする課題】
【０００３】  従来より、書棚は書籍がいつも載置されて重量があり、移動にはある程度の書籍を書棚から取り除き、重量を軽減して移動しなければならない問題があった。
【０００４】  本発明は、家庭内でも、企業の事務所内でも使用される書棚の配置移動が生じても、面倒な書籍を書棚から取り除く作業と、重量軽減も必要とせず、短時間で容易に移動ができ、エアーバッグ内の空気給排で書棚の移動と定置が繰り返しできるようにしたエアーバック式書棚移動装置の提供を目的とするものである。
【課題を解決するための手段】
【０００５】  前記の課題を達成するため、中空で長方形状となる書棚載置台枠板の長辺方向の両端内部に、対向する長方形状のローラー軸受け枠が保持収納されるようガイド枠を設け、そのローラー軸受け枠にそれぞれ２本のローラーを挿着し、ローラー軸受け枠の上面と書棚載置台枠板の内部天井面との間にエアーバッグを内設し、対向するエアーバッグに給排管を接合し、書棚載置台枠板の長辺方向の一側面に孔をあけ、給排管に接合する空気給排口を取り付けた手段を講じている。
【０００６】  そして、ローラー軸受け枠の上面と、書棚載置台枠板の内部天井面の間に内設となるエアーバッグにおいて、書棚載置台枠板の一側面にエアーバッグの空気給排口を設け、その空気給排口から手動ポンプ又は電動ポンプで空気給入を行うことにより、エアーバッグが膨出してローラー軸受け枠を下方へ押動し、ローラー軸受け枠のローラーが床面に着き、書棚載置台枠板１に載置された書棚を押すとローラーが回転し移動が容易となるとともに、エアーバッグ内の空気給排で書棚の移動と定置が繰り返しできるようにしている。
【０００７】  さらに、ローラー軸受け枠の長辺部を左右対称に湾出形状にし、ローラー軸受け枠の上面に円環ベアリングを添着した保持板を取り付け、書棚載置台枠板の内部両端に湾出形状でローラー軸受け枠を保持収納する湾曲ガイド枠を設け、ローラー軸受け枠の上部の保持板と湾曲ガイド枠の内部天井面との間にエアーバッグが内設され、書棚載置台枠板の一側面に設けたエアーバッグの空気給排口から空気給入を行い、エアーバッグが膨出してローラー軸受け枠を下方へ押動し、ローラー軸受け枠のローラーが床面に着き、ローラーの回転で書棚載置台枠板と書棚の押動が容易になるとともに、ローラー軸受け枠の短辺部に設けたレバーにより、ローラーの方向を左右自在に向けられるようにしている。
【０００８】
【発明を実施するための最良の形態】  発明の実施の形態を実施例にもとづき図面を参照して説明する。
図１及び図２において示す実施例では、中空で長方形状となる書棚載置台枠板１の長辺方向の両端内部に、対向する長方形状のローラー軸受け枠２が保持収納されるようガイド枠３を設け、そのローラー軸受け枠２にそれぞれ２本のローラー４を挿着し、ローラー軸受け枠２の上面と書棚載置台枠板１の内部天井面との間にエアーバッグ５を内設し、対向するエアーバッグ５に給排管６を接合し、書棚載置台枠板１の長辺方向の一側面に孔７をあけ、給排管６に接合する空気給排口８を取り付けている。【０００９】  また、図３において示す実施例では、ローラー軸受け枠２の上面と、書棚載置台枠板１の内部天井面の間に内設となるエアーバッグ５において、書棚載置台枠板１の一側面にエアーバッグ５の空気給排口８を設け、その空気給排口８から手動ポンプ又は電動ポンプで空気給入を行うことにより、エアーバッグ５が膨出してローラー軸受け枠２を下方へ押動し、ローラー軸受け枠２のローラー４が床面９に着き、書棚載置台枠板１に載置された書棚１０を押すとローラー４が回転し移動が容易となるとともに、エアーバッグ５内の空気給排で書棚１０の移動と定置が繰り返しできるようにしている。【００１０】  また、図４において示す実施例では、ローラー軸受け枠２の長辺部１１を左右対称に湾出形状１２にし、ローラー軸受け枠２の上面に円環ベアリング１３を添着した保持板１４を取り付け、書棚載置台枠板１の内部両端に湾出形状でローラー軸受け枠２を保持収納する湾曲ガイド枠１５を設け、ローラー軸受け枠２の上部にある保持板１４と、湾曲ガイド枠１５の内部天井面との間にエアーバッグ５が内設され、書棚載置台枠板１の一側面に設けたエアーバッグ５の空気給排口８から空気給入を行うことにより、エアーバッグ５が膨出してローラー軸受け枠２を下方へ押動し、ローラー軸受け枠２のローラー４が床面９に着き、ローラー４の回転で書棚載置台枠板１と書棚１０の押動が容易になるとともに、ローラー軸受け枠２の短辺部１６に設けたレバー１７により、ローラー４の方向を左右自在に向けられるようにしている。
【発明の効果】
【００１１】  本発明は、以上説明したように構成されているので、下記に記載されるような効果を奏している。
【００１２】  本発明のエアーバック式書棚移動装置は、家庭内でも、企業の事務所内でも使用される書棚の配置移動が生じても、面倒な書籍を書棚から取り除く作業と、重量軽減も必要とせず、短時間で容易に移動ができるものである。
【図面の簡単な説明】
【図１】  本発明の実施例を示す斜視図である。
【図２】  本発明の要部の実施例を示した側面断面図である。
【図３】  本発明のエアーバック式書棚移動装置が作動した実施例を示す側面断面図である。
【図４】  本発明の第２の実施例を示す斜視図である。
【符号の説明】
１  書棚載置台枠板
２  ローラー軸受け枠
３  ガイド枠
４  ローラー
５  エアーバッグ
６  給排管
７  孔
８  空気給排口
９  床面
１０  書棚
１１  長辺部
１２  湾出形状
１３  円環ベアリング
１４  保持板
１５  湾曲ガイド枠
１６  短辺部
１７  レバー
【図１】
2005046577.tif 000003
【図２】
2005046577.tif 000004
【図３】
2005046577.tif 000005
【図４】
2005046577.tif 000006